(57)【要約】【課題】ロータリースイッチとプッシュスイッチの両機能を有するスイッチ装置においてプッシュノブのガタつきを防止する。【解決手段】回動可能に取り付けられて回動操作によりスイッチ操作が行なわれ、軸中心に挿通孔を有するロータ５０と、ロータ５０の挿通孔５４に進退可能に取り付けられた円筒状のプッシュノブ３０と、プッシュノブ３０を進退可能に保持するベース１２とを備えたスイッチ装置１０であって、ベース１２にプッシュノブ３０の筒内に挿入される突出部１６を設け、突出部１６の側面にはプッシュノブ３０の筒内に設けた凸部３２と摺動可能に嵌合する溝状凹部１８を設けたことを特徴とする。【選択図】　図５
2004103376.tif 000002
【特許請求の範囲】
【請求項１】
回動可能に取り付けられて回動操作によりスイッチ操作が行なわれ、軸中心に挿通孔を有するロータと、
前記ロータの挿通孔に進退可能に取り付けられた円筒状のプッシュノブと、
該プッシュノブを進退可能に保持するベースとを備えたスイッチ装置であって、前記ベースに前記プッシュノブの筒内に挿入される突出部を設け、該突出部の側面には前記プッシュノブの筒内に設けた凸部と摺動可能に嵌合する溝状凹部を設けたことを特徴とするスイッチ装置。
【請求項２】
前記ベースに２つの光源を配置すると共にそれぞれの光源をそれぞれ囲む２つのバルブケースを設け、前記２つのバルブケースを区切るように前記突出部を形成し、前記プッシュノブの内部には２つの区切られた導光路を形成する遮光板を設け、前記２つの光源からの光は互いに重なり合った前記突出部および前記遮光板によって区切られた状態で前記２つの導光路でそれぞれ導かれることを特徴とする請求項１に記載のスイッチ装置。
【請求項３】
前記突出部を断面略Ｈ字状に形成したことを特徴とする請求項１または２に記載のスイッチ装置。
【発明の詳細な説明】
【０００１】
【発明の属する技術分野】
本発明は、スイッチ装置に関する。
【０００２】
【従来の技術】
【特許文献１】
特開平１０−２１４５４２号公報
【０００３】
従来、例えば車両等のエアコンのスイッチに用いられるスイッチ装置として、図６に示すように、キャップ７２を被せたプッシュノブ７４をロータリーノブ７６の中心孔に進退可能に組み付けてロータリースイッチとプッシュスイッチとの両機能を備えたものがある。このスイッチ装置７０では、ロータリーノブ７６と一体に回動するロータ７８の中心孔によってプッシュノブ７４が保持されている。
【０００４】
また、スイッチ装置７０では、キャップ７２で覆われたプッシュノブ７４の端部には、それぞれ発光色が異なる２つの光源８０，８２が装着されており、キャップ７２の内部はプッシュノブ７４から延びる遮光板８４によって各光源８０，８２に対応する２つの領域に区切られている。これにより、キャップ７２の端面に設けられた「Ａ／Ｃ」の文字と透光部からなる照明部７３は、各光源８０，８２によってそれぞれ異なる色に照明されるようになっている。
【０００５】
【発明が解決しようとする課題】
しかしながら、上記スイッチ装置７０では、プッシュノブ７４はロータ７８に対して進退可能であると共にロータ７８はプッシュノブ７４に対して回動可能であるために、ロータ７８の中心孔とプッシュノブ７４との間に隙間を設ける必要がある。また、同様の理由からロータリーノブ７６の中心孔とキャップ７２との間にも隙間を設ける必要がある。これらの隙間を設けることにより、キャップ７２付きのプッシュノブ７４は、ロータリーノブ７６の中心孔の中でガタつくという問題があった。
【０００６】
【課題を解決するための手段】
そこで、前記問題を解決するために本発明は、回動可能に取り付けられて回動操作によりスイッチ操作が行なわれ、軸中心に挿通孔を有するロータと、
前記ロータの挿通孔に進退可能に取り付けられた円筒状のプッシュノブと、
該プッシュノブを進退可能に保持するベースとを備えたスイッチ装置であって、前記ベースに前記プッシュノブの筒内に挿入される突出部を設け、該突出部の側面には前記プッシュノブの筒内に設けた凸部と摺動可能に嵌合する溝状凹部を設けたことを特徴とするものである。
【０００７】
上記構成からなる本発明のスイッチ装置によれば、プッシュノブはその筒内にベースから延びる突出部が挿入されて取り付けられるが、そのときプッシュノブの筒内に設けた凸部がベースからの突出部の側面に形成された溝状凹部に摺動可能に嵌合した状態でベースに対して進退可能に保持される。このようにプッシュノブの凸部と突起部の溝状凹部とが嵌合した状態で保持されることによりプッシュノブのガタつきが防止される。
【０００８】
本発明のスイッチ装置では、前記ベースに２つの光源を配置すると共にそれぞれの光源をそれぞれ囲む２つのバルブケースを設け、前記２つのバルブケースを区切るように前記突出部を形成し、前記プッシュノブの内部には２つの区切られた導光路を形成する遮光板を設け、前記２つの光源からの光は互いに摺動可能に重なり合った前記突出部および前記遮光板によって区切られた状態で前記２つの導光路でそれぞれ導かれるようにしてもよい。
このようにすれば、各光源から照射された光は、互いに漏れ合うことなく、突出部および遮光板によって遮光された２つの導光路をそれぞれ通ってプッシュノブの先端まで導かれることができる。
【０００９】
また、本発明のスイッチ装置では、前記突出部を断面略Ｈ字状に形成してもよい。
このようにすれば、突出部の強度をアップすることができ、強いスイッチ操作にも破損することがない。
【００１０】
【発明の実施の形態】
以下、本発明の実施の形態について添付図面を参照して説明する。
図１は本発明の一実施形態である車両等のエアコンのスイッチとして用いられるスイッチ装置１０の分解斜視図、図２（ａ）は組み立てられた状態のスイッチ装置１０の縦断面図、図２（ｂ）は図２の断面から９０度ずれた位置での縦断面図である。
【００１１】
スイッチ装置１０は、その基部に樹脂成形品であるベース１２を備えている。ベース１２は略円盤状のフランジ部１４を有しており、そのフランジ部１４の略中央部には突出部１６が突設されている。突出部１６は、図３でも示すように、断面が略Ｈ字状に形成されており、これにより強度が増強されている。突出部１６の両側面には、直線的に延びる溝状凹部１８がそれぞれ形成されている。突出部１６の基部の両側には２つのバルブケース２０が設けられている。前記突出部１６は、これらのバルブケース２０を区切るように形成されている。これらのバルブケース２０によって囲まれるた内部に、発色光の色が異なる２つのバルブ（光源）２２，２３がそれぞれ配置されている。
【００１２】
フランジ部１４の突出部１６形成側の側面には、金属板からなる固定ターミナル２４が配置されていると共に、２つのスプリング装着孔２６が形成されている。これらのスプリング装着孔２６には、２つのコイルスプリング２７がそれぞれ装着されており、これらのコイルスプリング２７によって後述するプッシュノブが前方（すなわち操作前位置）に付勢されている。また、フランジ部１４の同じ側面上には、金属板からなる固定接点２５が設けてある。さらに、バルブケース２０から周方向に９０度ずれた位置である突出部１６の基端部側面には、略コ字状のハートカムピン２８が装着されており、ハートカムスプリング２９によってハートカムピン２８の自由端部が突出部１６側に付勢されている。
【００１３】
ベース１２の突出部１６には、円筒状のプッシュノブ３０が装着されている。プッシュノブ３０はその筒内に突出部１６を挿入した状態で取り付けられる。プッシュノブ３０の筒内の壁面には、軸方向に直線状にそれぞれ延びる２つの凸部３２が周方向に１８０度ずれた位置に対向して設けられている。プッシュノブ３０がベース１２の突出部１６に装着されるときに前記各凸部３２は、図５に示すように、突出部１６の両側面の溝状凹部１８にそれぞれ摺動自在に嵌合した状態になっている。これにより、プッシュノブ３０はベース１２の突出部１６に進退可能に保持されている。
【００１４】
また、プッシュノブ３０の内部には軸方向に沿って延びる遮光板３６が設けられており、この遮光板３６によってプッシュノブ３０の筒内には２つの区切られた導光路３４が形成されている。プッシュノブ３０がベース１２の突出部１６に装着されると、遮光板３６と突出部１６とは互いに摺動可能に重なり合った状態で２つの導光路３４を区切っている。
【００１５】
プッシュノブ３０の先端には、一端が閉鎖された円筒状のキャップ３８が被せられている。キャップ３８は、半透光性の「Ａ／Ｃ」の文字部４０と透光部からなる照明部４２を有している。キャップ３８の内側には、文字部４０と照明部４２を区切るようにして遮光板４４が設けてあり、この遮光板４４がプッシュノブ３０の遮光板３６と接合している。これにより、バルブ２２，２３から発せられた照明光は、プッシュノブ３０内の２つの導光路３４をそれぞれ介してキャップ３８の文字部４０と照明部４２までそれぞれ導かれるようになっている。
【００１６】
さらに、プッシュノブ３０のベース１２側の端部には２つの筒状部３７が設けてあり、これらの筒状部３７がバルブケース２０内に進退可能に嵌合している。これにより、バルブ２２，２３から発せられた照明光がバルブケース２０から外部に漏れるのを防止しつつ導光路３４へ確実に導かれるようにしてある。
【００１７】
プッシュノブ３０の側面には、金属板製の可動接点４６が取り付けられている。この可動接点４６は、キャップ３８が押されてプッシュノブ３０が後退したときに、ベース１２に取り付けられた固定接点２５と接触するようになっている。
【００１８】
プッシュノブ３０の可動接点４６の取り付け側とは反対の側面には、ハートカムプレート４８が取り付けられており、このハートカムプレート４８上にハートカムピン２８の自由端部が付勢されている。プッシュノブ３０がキャップ３８を介して１度押されて後退すると、ハートカムピン２８がハートカムプレート４８の所定位置に係合することによりプッシュノブ３０は後退位置に保持され、プッシュノブ３０がキャップ３８を介してもう１度押されると、ハートカムピン２８のハートカムプレート４８に対する係合が外れると共にベース１２に装着した２つのコイルスプリング２７によって付勢されることによりプッシュノブ３０は前進して操作前位置へと復帰するようになっている。
【００１９】
プッシュノブ３０の外周にはロータ５０が装着されている。ロータ５０は、円筒部５２とフランジ部５６とからなり、その軸中心に挿通孔５４を有している。プッシュノブ３０はロータ５０の挿通孔５４に進退可能の取り付けられている。ロータ５０のフランジ部５６のベース１２側の端面には可動ターミナル５８が固定されており、この可動ターミナル５８がベース１２上の固定ターミナル２４に接触可能になっている。
【００２０】
また、ロータ５０の円筒部５２の端部には、ロータリーノブ６０が取り付けられている。プッシュノブ３０に取り付けたキャップ３８の端部がロータリーノブ６０の中心孔から突出しており、これによりプッシュノブ３０の押し操作が可能になっている。ロータ５０はまた、プッシュノブ３０の周囲で回動可能になっている。ロータリーノブ６０を手で回動操作するとロータ５０も回動してロータ５０の可動ターミナル５８とベース１２上の固定ターミナル２４との接触状態が変化するようになっている。さらに、ロータ５０の外側にはケース６２が装着されている。
【００２１】
上記構成からなるスイッチ装置１０では、ロータリーノブ６０を手で回動操作すると、ロータ５０の可動ターミナル５８がベース１２上の固定ターミナル２４に対して非接触状態から接触状態に変化し、これにより例えばファンのスイッチがオンになって送風状態になる。また、ロータリーノブ６０の回動位置を変えると前記可動ターミナル５８と固定ターミナル２４との接触状態が変わることによってファンの回転速度が変化して、風量調節を行なうことができる。
【００２２】
ロータリーノブ６０が回動操作されて送風状態にあるとき、ロータリーノブ６０の中央に突出するキャップ３８を押し操作してプッシュノブ３０を後退させると、ハートカムプレート４８にハートカムピン２８が係合することによりプッシュノブ３０が後退位置に保持されると共に、可動接点４６が固定接点２５と接触することによりエアコンがオンされる。このとき、照明部４２を照明するバルブ２３が点灯し、夜間時には文字部４０を照明するバルブ２２も点灯して、それぞれ異なる色の照明光を発する。バルブ２２，２３から発せられた照明光は、突出部１６および遮光板３６，４４で区切られた２つの導光路３４をそれぞれ通ってキャップ３８の端部の裏面へと導かれ、文字部４０と照明部４２とをそれぞれ異なる色に照明する。
【００２３】
キャップ３８をもう１度押すと、ハートカムプレート４８に対するハートカムピン２８の係合が外れる。これにより、プッシュノブ３０およびキャップ３８は、２つのコイルスプリング２７の付勢力によって前進して、操作前位置に復帰する。このとき、可動接点４６と固定接点２５とが非接触状態になり、エアコンがオフされると共に、バルブ２３が消灯する。
【００２４】
以上に説明したように本実施形態のスイッチ装置によれば、プッシュノブ３０はその筒内にベース１２から延びる突出部１６が挿入されて取り付けられるが、そのときプッシュノブ３０の筒内に設けた凸部３２がベース１２からの突出部１６の側面に形成された溝状凹部１８に摺動可能に嵌合した状態でベース１２に対して進退可能に保持される。このようにプッシュノブ３０の凸部３２と突起部１６の溝状凹部１８とが嵌合した状態で保持されることによりプッシュノブ３０のガタつきが防止される。
【００２５】
また、各バルブ２２，２３から照射された光は、互いに漏れ合うことなく、突出部１６および遮光板３６によって遮光された２つの導光路３４をそれぞれ通ってプッシュノブ３０の先端のキャップ３８まで導かれることができる。
【００２６】
さらに、ベース１２の突出部１６は略Ｈ字状断面に形成されているため、突出部１６の強度がアップして強いスイッチ操作にも破損することがない。
【００２７】
なお、本実施形態のスイッチ装置１０ではキャップ３８の内側に遮光板４４を形成したが、プッシュノブ３０の遮光板３６がキャップ３８まで延びて形成されてもよい。
【００２８】
また、本実施形態のスイッチ装置１０では、突出部１６の両側面に溝状凹部１８を設けてプッシュノブ３０の２つの凸部３２を摺動可能に嵌合するようにしたが、突出部１６の片側の側面だけに溝状凹部を形成してプッシュノブの１つの凸部を嵌合させるようにしてもよい。
【００２９】
さらに、本発明のスイッチ装置は、車両等のエアコンに限らず、ロータリースイッチとプッシュスイッチの両機能を備えたスイッチを有するあらゆる装置に適用可能である。
【００３０】
【発明の効果】
以上の説明から明らかなように本発明のスイッチ装置によれば、プッシュノブの凸部とベースの突起部の溝状凹部とが嵌合した状態で保持されることによりプッシュノブのガタつきを防止できる。
【００３１】
また、各光源から照射された光は、互いに漏れ合うことなく、突出部および遮光板によって遮光された２つの導光路をそれぞれ通ってプッシュノブの先端まで導かれることができる。
【図面の簡単な説明】
【図１】スイッチ装置の分解斜視図。
【図２】スイッチ装置の切断方向が異なる２つの縦断面図。
【図３】ベースの斜視図。
【図４】プッシュノブの縦断面図と底面図。
【図５】ベースに組み付けた状態でのプッシュノブの横断面図。
【図６】従来のスイッチ装置の正面図、Ａ−Ａ線断面図およびＢ−Ｂ線断面図。
【符号の説明】
１０…スイッチ装置、１２…ベース、１６…突出部、１８…溝状凹部、２０…バルブケース、２２，２３…バルブ（光源）、３０…プッシュノブ、３２…凸部、３６…遮光板、３８…キャップ、５０…ロータ、６０…ロータリーノブ。
【図１】
2004103376.tif 000003
【図２】
2004103376.tif 000004
【図３】
2004103376.tif 000005
【図４】
2004103376.tif 000006
【図５】
2004103376.tif 000007
【図６】
2004103376.tif 000008